(57)【特許請求の範囲】
【請求項１】
第１リフレクタと、
第２リフレクタと、
前記第１のリフレクタと前記第２リフレクタとの間に配置された少なくとも１つの光源モジュールと
を備え、
前記第１リフレクタの一面は、前記第２リフレクタと相対するとともに、傾斜面と平面を有し、
前記傾斜面は、前記光源モジュールに隣接し、
前記平面は、前記傾斜面の先端から延び、前記光源モジュールと同一線上に位置し、前記傾斜面と平面との境界領域は曲面である、バックライトユニット。
【請求項２】
前記第１リフレクタは、
前記傾斜面を有する第１領域と、
前記平面を有する第２領域と
を有し、
前記第１領域のうち、前記光源モジュールに隣接した領域の厚さは、前記光源モジュールから遠い領域の厚さよりも薄いか、または、前記光源モジュールに隣接した領域の厚さと前記光源モジュールから遠い領域の厚さとが互いに同一である、請求項１に記載のバックライトユニット。
【請求項３】
前記第１リフレクタは、
前記傾斜面を有する第１領域と、
前記平面を有する第２領域と
を有し、
前記第２領域のうち、前記光源モジュールに近接した領域の厚さは、前記光源モジュールから遠い領域の厚さよりも厚い、請求項１又は２に記載のバックライトユニット。
【請求項４】
前記第１リフレクタの上部面は、
前記第１リフレクタの下部面における傾斜面に対応する第３領域と、
前記第１リフレクタの下部面における平面に対応する第４領域と
を有し、
前記第３領域と前記第４領域とは、互いに異なる線上に位置する、請求項１乃至３のいずれかに記載のバックライトユニット。
【請求項５】
前記第３領域の幅と前記第４領域の幅とは、互いに異なる、請求項４に記載のバックライトユニット。
【請求項６】
前記第３領域の表面及び前記第４領域の表面は、曲面である、請求項４又は５に記載のバックライトユニット。
【請求項７】
前記第１リフレクタの傾斜面は、前記第２リフレクタの方向に一定角度傾斜し、前記第１リフレクタの平面は、前記第１リフレクタの上部面と平行である、請求項１乃至６のいずれかに記載のバックライトユニット。
【請求項８】
前記第２リフレクタは、第１領域及び第２領域を有し、
前記第２リフレクタの前記第１領域は、前記光源モジュール及び前記第１リフレクタと整列され、下方に傾斜した第１傾斜面であり、
前記第２リフレクタの前記第２領域は、前記第１領域に隣接し、前記第１リフレクタの下部面における平面と平行な平面であるか、または、上方に傾斜した第２傾斜面であり、
前記第１リフレクタの下部面の平面は、前記第２リフレクタの前記第１領域及び前記第２領域の少なくとも一領域に整列して配置されている、請求項７に記載のバックライトユニット。
【請求項９】
前記第１リフレクタの傾斜面は、凹んだ曲面、又は膨らんだ曲面である、請求項１乃至８のいずれかに記載のバックライトユニット。
【請求項１０】
前記光源モジュールは、基板と、前記基板上に配列された少なくとも１つの光源とを備え、前記第１リフレクタの平面は、前記光源の幅の間に位置する、請求項１乃至９のいずれかに記載のバックライトユニット。
【請求項１１】
前記傾斜面の幅は、前記平面の幅と同一である、請求項１乃至１０のいずれかに記載のバックライトユニット。
【請求項１２】
前記傾斜面の幅は、前記平面の幅と異なる、請求項１乃至１１のいずれかに記載のバックライトユニット。
【請求項１３】
前記傾斜面及び平面は、光を正反射する正反射領域である、請求項１乃至１２のいずれかに記載のバックライトユニット。
【請求項１４】
前記傾斜面は、光を正反射する正反射領域であり、前記平面は、光を乱反射する乱反射領域である、請求項１乃至１３のいずれかに記載のバックライトユニット。
【請求項１５】
前記傾斜面は、光を正反射する正反射領域であり、前記平面は、前記正反射領域と光を乱反射する乱反射領域とを有する、請求項１乃至１４のいずれかに記載のバックライトユニット。
【請求項１６】
前記第１リフレクタの下部面における平面には、反射パターンが形成されている、請求項１乃至１５のいずれかに記載のバックライトユニット。
【請求項１７】
前記反射パターンは鋸歯状であり、反射パターンの表面は、平面、凹んだ曲面及び膨らんだ曲面の少なくとも１つである、請求項１乃至１６のいずれかに記載のバックライトユニット。
【請求項１８】
前記反射パターンの大きさは、不均一である、請求項１乃至１７のいずれかに記載のバックライトユニット。
【請求項１９】
前記反射パターンの大きさは、前記光源モジュールに近接する反射パターンに比べて、前記光源モジュールから遠く離れた反射パターンがより大きい、請求項１乃至１８のいずれかに記載のバックライトユニット。
【請求項２０】
前記第３領域と第４領域の幅は、互いに異なる、請求項１８又は１９に記載のバックライトユニット。
【請求項２１】
前記第３領域と第４領域の表面は、曲面または平面である、請求項１８乃至２０のいずれかに記載のバックライトユニット。
【請求項２２】
前記第１リフレクタの下部面は、前記平面に対して傾斜をなす、請求項１乃至２１のいずれかに記載のバックライトユニット。
【請求項２３】
請求項１乃至２２のいずれかに記載の第１リフレクタ、第２リフレクタ及び光源モジュールを備える照明システム。
【発明の詳細な説明】
【技術分野】
【０００１】
本発明の実施例は、バックライトユニット及びそれを用いたディスプレイ装置に関する。
【背景技術】
【０００２】
一般に、大型ディスプレイ装置の代表には、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光型のＰＤＰとは違い、ＬＣＤは、自体発光する発光素子を備えておらず、別のバックライトユニットが必須である。
【０００４】
ＬＣＤに用いられるバックライトユニットは、光源の位置によって、エッジ（ｅｄｇｅ）方式のバックライトユニットと直下方式のバックライトユニットとに区別される。エッジ方式は、ＬＣＤパネルの左右側面または上下側面に光源を配置し、導光板を用いて光を前面に均一に分散させるため、光の均一性がよく、パネルの超薄型化が可能である。
【０００５】
直下方式は、通常、２０インチ以上のディスプレイに用いられる技術で、パネルの下部に光源を複数個配置するから、エッジ方式に比べて優れた光効率を有し、よって、高輝度を要する大型ディスプレイに主に用いられる。
【０００６】
既存エッジ方式や直下方式のバックライトユニットの光源には、ＣＣＦＬ（Ｃｏｌｄ  Ｃａｔｈｏｄｅ  Ｆｌｕｏｒｅｓｃｅｎｔ  Ｌａｍｐ）を用いてきた。
【０００７】
しかしながら、ＣＣＦＬを用いたバックライトユニットは、ＣＣＦＬに常に電源が印加されるから相当量の電力を消耗する、ＣＲＴに比べて約７０％レベルの色再現率を示す、水銀の添加により環境汚染を招く、といった欠点があった。
【０００８】
これを解消するための代替品として、現在、ＬＥＤ（Ｌｉｇｈｔ  Ｅｍｉｔｔｉｎｇ  ｄｉｏｄｅ）を用いたバックライトユニットに関する研究が活発に行われている。
【０００９】
ＬＥＤをバックライトユニットに用いる場合、ＬＥＤアレイの部分的なオン／オフが可能なため、消耗電力を画期的に低減できる。なお、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【発明の概要】
【発明が解決しようとする課題】
【００１０】
本発明の実施例は、導光板を省き、一部傾斜面を有するリフレクタを用いて、エアーガイド（ａｉｒ  ｇｕｉｄｅ）を有するバックライトユニット及びそれを用いたディスプレイ装置を提供する。
【課題を解決するための手段】
【００１１】
本発明の一実施例は、第１リフレクタと、第２リフレクタと、第１及び第２リフレクタの間に配置された少なくとも１つの光源モジュールとを備え、第１リフレクタの下部面は、第２リフレクタと相対するとともに、傾斜面及び平面を有し、傾斜面は、光源モジュールに隣接し、平面は傾斜面の先端から延び、光源モジュールと同一線上に位置するとよい。
【００１２】
ここで、第１リフレクタの傾斜面は、第２リフレクタ方向に一定角度傾斜し、第１リフレクタの平面は、第１リフレクタの上部面と平行であればよい。
【００１３】
そして、第１リフレクタの傾斜面は、凹んだ曲面、膨らんだ曲面、扁平な平面でよい。
【００１４】
また、光源モジュールは、基板と、基板上に配列された少なくとも１つの光源とを備え、第１リフレクタの平面は、光源の幅の間に位置するとよい。
【００１５】
また、傾斜面の幅は、平面の幅と同一であってもよく、平面の幅と異なってもよい。
【００１６】
また、傾斜面及び平面の両方が、光を正反射する正反射領域であってもよく、傾斜面は、光を正反射する正反射領域で、平面は、光を乱反射する乱反射領域であってもよく、傾斜面は、光を正反射する正反射領域で、平面は、正反射領域と光を乱反射する乱反射領域とを含む領域であってもよい。
【００１７】
そして、傾斜面と平面との境界領域は、曲面または２面角（ｄｉｈｅｄｒａｌ  ａｎｇｌｅ）を有することができる。
【００１８】
また、第１リフレクタは、傾斜面を有する第１領域と、平面を有する第２領域とを有し、第１領域のうち、光源モジュールに近接する領域の厚さが、光源モジュールから遠い領域の厚さより薄くてもよく、光源モジュールに近接した領域の厚さと光源モジュールから遠い領域の厚さとが、互いに同一であってもよい。
【００１９】
また、第１リフレクタは、傾斜面を有する第１領域と、平面を有する第２領域とを有し、第２領域のうち、光源モジュールに近接した領域の厚さが、光源モジュールから遠い領域の厚さより厚くてもよく、光源モジュールに近接した領域の厚さと光源モジュールから遠い領域の厚さとが、互いに同一であってもよい。
【００２０】
また、第１リフレクタの上部面は、第１リフレクタの下部面の傾斜面に対応する第３領域と、第１リフレクタの下部面の平面に対応する第４領域とを有し、第３領域と第４領域は、互いに異なる線上に位置できる。
【００２１】
ここで、第３領域と第４領域の幅は互いに異なってもよく、第３領域と第４領域の表面は、曲面または平面でよい。
【００２２】
そして、第３領域と第４領域は、少なくとも１つの突起を有することができ、突起の高さは互いに異なってもよい。
【００２３】
また、第１リフレクタの下部面の平面には、反射パターンが形成されてもよい。
【００２４】
ここで、反射パターンは鋸歯状であり、反射パターンの表面は、平面、凹んだ曲面及び膨らんだ曲面の少なくとも１つであり、反射パターンの大きさは不均一であってもよい。
【００２５】
また、反射パターンの大きさは、光源モジュールに近接した反射パターンに比べて、光源モジュールから遠く離れた反射パターンがより大きければよい。
【００２６】
また、第２リフレクタは、第１及び第２領域を有し、第１領域は、光源モジュール及び第１リフレクタと整列（ａｌｉｇｎ）され、下方に傾斜した第１傾斜面であり、第２領域は、第１領域に隣接し、第１リフレクタの下部面の平面と平行な平面、または上方に傾斜した第２傾斜面であればよい。
【００２７】
ここで、第１リフレクタの下部面における平面は、第２リフレクタの第１及び第２領域の少なくとも一領域に整列されて配置されるとよい。
【００２８】
そして、本発明の一実施例は、第２リフレクタから一定の空間をおいて配置される光学部材をさらに備えることができ、第２リフレクタと光学部材との間の空間にはエアーガイドが形成されるとよい。
【発明の効果】
【００２９】
本発明の一実施例は、導光板を使用せずに、一部傾斜面を有するエアーガイド用リフレクタを形成することによって、軽量、低製作コスト及び均一な輝度を提供できる。
その結果、バックライトユニットの経済性及び信頼性を向上させることができる。
【図面の簡単な説明】
【００３０】
下記の図面を参照して本発明の実施例について詳細に説明する。ただし、図面中、同一のエレメントには同一の参照符号を付する。
【図１】本発明の一実施例に係るバックライトユニットを説明するための断面図である。
【図２Ａ】図１における第１リフレクタの構造を示す断面図である。
【図２Ｂ】図１における第１リフレクタの構造を示す断面図である。
【図２Ｃ】図１における第１リフレクタの構造を示す断面図である。
【図３】第１リフレクタの平面が配置される位置を示す断面図である。
【図４Ａ】正反射領域を有する第１リフレクタを示す断面図である。
【図４Ｂ】正反射領域を有する第１リフレクタを示す断面図である。
【図４Ｃ】正反射領域を有する第１リフレクタを示す断面図である。
【図５Ａ】第１リフレクタの傾斜面と平面との境界領域を示す断面図である。
【図５Ｂ】第１リフレクタの傾斜面と平面との境界領域を示す断面図である。
【図６Ａ】第１リフレクタの厚さを示す断面図である。
【図６Ｂ】第１リフレクタの厚さを示す断面図である。
【図７Ａ】第１リフレクタの上部面の幅を示す断面図である。
【図７Ｂ】第１リフレクタの上部面の幅を示す断面図である。
【図８Ａ】第１リフレクタの上部面に突出した突起を示す断面図である。
【図８Ｂ】第１リフレクタの上部面に突出した突起を示す断面図である。
【図９Ａ】第１リフレクタに形成される反射パターンを示す断面図である。
【図９Ｂ】第１リフレクタに形成される反射パターンを示す断面図である。
【図９Ｃ】第１リフレクタに形成される反射パターンを示す断面図である。
【図９Ｄ】第１リフレクタに形成される反射パターンを示す断面図である。
【図１０Ａ】第１リフレクタの長さを示す断面図である。
【図１０Ｂ】第１リフレクタの長さを示す断面図である。
【図１０Ｃ】第１リフレクタの長さを示す断面図である。
【図１１Ａ】光源モジュールと第１及び第２リフレクタとの配置関係を説明するための断面図である。
【図１１Ｂ】光源モジュールと第１及び第２リフレクタとの配置関係を説明するための断面図である。
【図１１Ｃ】光源モジュールと第１及び第２リフレクタとの配置関係を説明するための断面図である。
【図１１Ｄ】光源モジュールと第１及び第２リフレクタとの配置関係を説明するための断面図である。
【図１２Ａ】傾斜面と平面を含む第２リフレクタを示す断面図である。
【図１２Ｂ】傾斜面と平面を含む第２リフレクタを示す断面図である。
【図１２Ｃ】傾斜面と平面を含む第２リフレクタを示す断面図である。
【図１３Ａ】多数の傾斜面を有する第２リフレクタを示す断面図である。
【図１３Ｂ】多数の傾斜面を有する第２リフレクタを示す断面図である。
【図１３Ｃ】多数の傾斜面を有する第２リフレクタを示す断面図である。
【図１４】光学部材の配置されたバックライトユニットを示す図である。
【図１５】本発明の一実施例に係るバックライトユニットを有するディスプレイモジュールを示す図である。
【図１６】本発明の一実施例に係るディスプレイ装置を示す図である。
【図１７】本発明の一実施例に係るディスプレイ装置を示す図である。
【発明を実施するための形態】
【００３１】
以下、本発明の実施例を、添付の図面を参照して説明する。
【００３２】
本発明の実施例の説明において、あるエレメント（ｅｌｅｍｅｎｔ）の「上（上部）」または「下（下部）」（ｏｎ  ｏｒ  ｕｎｄｅｒ）に他のエレメントが形成されるという記載は、これらの両エレメントが相互直接（ｄｉｒｅｃｔｌｙ）接触して形成される場合も、これら両エレメントの間に一つ以上のさらに他のエレメントが介在して（ｉｎｄｉｒｅｃｔｌｙ）形成される場合も含むことができる。
【００３３】
また「上（上部）」または「下（下部）」（ｏｎ  ｏｒ  ｕｎｄｅｒ）と表現される場合、一つのエレメントを基準に上方を指す場合もあり、下方を指す場合もある。
【００３４】
図１は、本発明の一実施例に係るバックライトユニットを説明するための断面図である。
【００３５】
図１に示すように、バックライトユニットは、光源モジュール１００、第１リフレクタ（ｒｅｆｌｅｃｔｏｒ）２００、及び第２リフレクタ３００を備えることができる。
【００３６】
ここで、光源モジュール１００は、第１リフレクタ２００と第２リフレクタ３００との間に配置され、第１リフレクタ２００に隣接して配置されるとよい。
【００３７】
場合によって、光源モジュール１００は、第１リフレクタ２００に接触すると同時に、第２リフレクタ３００から一定間隔離れて配置されてよく、第２リフレクタ３００に接触すると同時に、第１リフレクタ２００から一定間隔離れて配置されてもよい。
【００３８】
または、光源モジュール１００は、第１リフレクタ２００及び第２リフレクタ３００の両方から一定間隔離れて配置されてもよく、第１リフレクタ２００及び第２リフレクタ３００の両方に接触して配置されてもよい。
【００３９】
そして、光源モジュール１００は、電極パターンを有する基板と、基板上に配置された少なくとも１つの光源とを備えることができる。
【００４０】
ここで、光源モジュール１００の光源は、上面発光型（ｔｏｐ  ｖｉｅｗ  ｔｙｐｅ）発光ダイオードでよい。
【００４１】
場合によって、光源は、側面発光型（ｓｉｄｅ  ｖｉｅｗ  ｔｙｐｅ）発光ダイオードであってもよい。
【００４２】
そして、基板は、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板であってもよく、フィルム形態にしてもよい。
【００４３】
また、基板には、単層ＰＣＢ、多層ＰＣＢ、セラミック基板、メタルコアＰＣＢなどを選択的に用いればよい。
【００４４】
ここで、基板は、反射コーティングフィルム及び反射コーティング物質層のいずれか一つが形成され、光源から生成された光を第２リフレクタ３００の中央領域に反射させてもよい。
【００４５】
また、光源は、発光ダイオードチップ（ＬＥＤ  ｃｈｉｐ）でよく、発光ダイオードチップは、ブルーＬＥＤチップまたは紫外線ＬＥＤチップで構成してもよく、レッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも１つまたは２以上を組み合わせたパッケージ形態にしてもよい。
【００４６】
ここで、ホワイトＬＥＤは、ブルーＬＥＤ上にイエロー燐光（Ｙｅｌｌｏｗ  ｐｈｏｓｐｈｏｒ）を結合する、ブルーＬＥＤ上にレッド燐光（Ｒｅｄ  ｐｈｏｓｐｈｏｒ）とグリーン燐光（Ｇｒｅｅｎ  ｐｈｏｓｐｈｏｒ）を同時に結合する、または、ブルーＬＥＤ上にイエロー燐光、レッド燐光及びグリーン燐光を同時に結合して具現できる。
【００４７】
また、第１リフレクタ２００と第２リフレクタ３００との間の空間にエアーガイドが形成されるように、第１リフレクタ２００と第２リフレクタ３００とは一定間隔を置いて相対して配置されるとよい。
【００４８】
そして、第１リフレクタ２００は、反射コーティングフィルム及び反射コーティング物質層のいずれか一つで形成され、光源モジュール１００から生成された光を第２リフレクタ３００の方向に反射させる役割を果たすことができる。
【００４９】
ここで、第１リフレクタ２００の下部面は、第２リフレクタ３００に相対するとともに、傾斜面（ｉｎｃｌｉｎｅｄ  ｐｌａｎｅ）と平面（ｆｌａｔ  ｓｕｒｆａｃｅ）を含むことができる。
【００５０】
ここで、傾斜面は、光源モジュール１００に隣接して位置し、平面は傾斜面の先端から延びて光源モジュール１００と同一線上に位置することができる。
【００５１】
また、第１リフレクタ２００の傾斜面は、第１リフレクタ２００の上部面から下方に一定角度で傾斜し、第１リフレクタ２００の平面は、第１リフレクタ２００の上部面と平行であればよい。
【００５２】
ここで、第１リフレクタ１００の傾斜面は、凹んだ曲面、膨らんだ曲面、扁平な平面でよい。
【００５３】
このように、第１リフレクタ２００の下部面の一部を傾斜面にする理由は、光源モジュール１００の配置された入光領域におけるホットスポット（ｈｏｔ  ｓｐｏｔ）を低減するとともに、ベゼル（ｂｅｚｅｌ）領域を減少させるためである。
【００５４】
したがって、第１リフレクタ２００の下部面のうち、光源モジュール１００に隣接する領域を傾斜面にすることによって、第１リフレクタ２００は、光を第２リフレクタ３００の方向に反射させ、入光領域におけるホットスポットを低減できるとともに、第１リフレクタ２００の大きさを減らし、ベゼル領域も減らすことができる。
【００５５】
そして、第１リフレクタ２００は、一部に傾斜面を有することができ、アルミニウム（Ａｌ）、銀（Ａｇ）、金（Ａｕ）、二酸化チタン（ＴｉＯ２）などのように高い反射率を有する金属または金属酸化物を含んでなることができる。
【００５６】
また、第１リフレクタ２００は、下部面の一部に鋸歯状の反射パターンが形成されてもよい。
【００５７】
ここで、反射パターンの表面は、平面または曲面であればよい。
【００５８】
このように第１リフレクタ２００の一部表面に反射パターンを形成する理由は、光源モジュール１００から生成された光を第２リフレクタ３００の中央領域へ反射させることによって、バックライトユニットの中央領域における輝度を増大させるためである。
【００５９】
また、第２リフレクタ３００は、一部に傾斜面を有することができ、アルミニウム（Ａｌ）、銀（Ａｇ）、金（Ａｕ）、二酸化チタン（ＴｉＯ２）などのように高い反射率を有する金属または金属酸化物を含んでなることができる。
【００６０】
そして、第２リフレクタ３００の傾斜面は、光源モジュール１００及び第１リフレクタ２００の少なくとも一方と整列（ａｌｉｇｎ）されるとよい。
【００６１】
ここで、第２リフレクタ３００の傾斜面は、第１リフレクタ２００の表面に対して一定角度で傾斜した面であればよく、傾斜面は、凹面（ｃｏｎｃａｖｅ  ｓｕｒｆａｃｅ）、凸面（ｃｏｎｖｅｘ  ｓｕｒｆａｃｅ）、平面（ｆｌａｔ  ｓｕｒｆａｃｅ）のうち少なくとも１つでよい。
【００６２】
場合によって、第２リフレクタ３００は、少なくとも１つの傾斜面と少なくとも１つの平面を含むことができ、第２リフレクタ３００の平面は、第１リフレクタ２００の平面と平行な面であればよい。
【００６３】
また、第２リフレクタ３００は、少なくとも１つの変曲点を有する少なくとも２つの傾斜面を含み、変曲点を中心に隣接する第１及び第２傾斜面の曲率は互いに異なってもよい。
【００６４】
図２Ａ乃至図２Ｃは、図２における第１リフレクタの構造を示す断面図である。
【００６５】
図２Ａ乃至図２Ｃに示すように、第１リフレクタ２００の下部面は、光源モジュール１００に隣接する第１領域と、第１領域に隣接する第２領域とを有することができる。
【００６６】
ここで、第１領域は、傾斜面２０１でよく、第２領域は平面２０２でよい。
【００６７】
そして、第１領域の傾斜面２０１は、第１リフレクタ２００の下方に一定角度で傾斜し、第２領域の平面２０２は、第１リフレクタ２００の上部面と平行であればよい。
【００６８】
この場合、第２領域の平面２０２は、傾斜面２０１の先端から延在し、光源モジュール１００と同一線上に位置できる。
【００６９】
図２Ａに示すように、第１リフレクタ２００の傾斜面２０１は、所定の曲率を有する凹んだ曲面であってもよい。
【００７０】
そして、図２Ｂに示すように、第１リフレクタ２００の傾斜面２０１は、所定の曲率を有する膨らんだ曲面であってもよく、図２Ｃに示すように、第１リフレクタ２００の傾斜面２０１は、所定の傾斜角を有する扁平な平面であってもよい。
【００７１】
図３は、第１リフレクタの平面が配置される位置を示す断面図である。
【００７２】
図３に示すように、光源モジュール１００は、基板１０２と、基板１０２上に配列された少なくとも１つの光源１０１とを備えることができる。
【００７３】
ここで、光源１０１は、第１幅Ｗ１を有する上部面を有することができ、該光源１０１の第１幅Ｗ１の間に第１リフレクタ２００の平面２０２が位置すればよい。
【００７４】
もし、第１リフレクタ２００の平面２０２が、光源１０１の第１幅Ｗ１の上部に位置すると、入光部にホットスポットが発生することがある。
【００７５】
そして、もし、第１リフレクタ２００の平面２０２が、光源１０１の第１幅Ｗ１の下部に位置すると、光が遮断されて、暗部領域が発生したり、全体的に輝度が低下したりする。
【００７６】
したがって、第１リフレクタ２００の平面２０２が、光源１０１の第１幅Ｗ１の範囲内に位置すると、入光部におけるホットスポットを低減できるとともに、第１リフレクタ２００の大きさを減らすことができ、ディスプレイパネルのベゼル領域も減らすことができる。
【００７７】
また、第１リフレクタ２００の傾斜面２０１は、第２幅Ｗ２を有することができ、第１リフレクタの平面２０２は、第３幅Ｗ３を有することができる。
【００７８】
ここで、傾斜面２０１の第２幅Ｗ２と平面２０２の第３幅Ｗ３は、互いに同一であっても、異なってもよい。
【００７９】
例えば、傾斜面２０１の第２幅Ｗ２は、平面２０２の第３幅Ｗ３より大きくてもよい。
【００８０】
図４Ａ乃至図４Ｃは、正反射領域を有する第１リフレクタを示す断面図である。
【００８１】
図４Ａ乃至図４Ｃに示すように、第１リフレクタ２００の下部面は、光を正反射する正反射領域と光を乱反射する乱反射領域の少なくとも一領域を含むことができる。
【００８２】
図４Ａに示すように、第１リフレクタ２００は、下部面に傾斜面２０１と平面２０２を有することができ、傾斜面２０１と平面２０２の両方が正反射領域であってもよい。
【００８３】
すなわち、傾斜面２０１と平面２０２上には、光を正反射する正反射シートを配置できる。
【００８４】
そして、図４Ｂに示すように、第１リフレクタ２００は、下部面に傾斜面２０１と平面２０２を含むことができ、傾斜面２０１は正反射領域で、平面２０２は乱反射領域であってもよい。
【００８５】
すなわち、傾斜面２０１上には、光を正反射する正反射シートを配置でき、平面２０２上には、光を乱反射する乱反射シートを配置できる。
【００８６】
また、図４Ｃに示すように、第１リフレクタ２００は、下部面に傾斜面２０１と平面２０２とを有することができ、傾斜面２０１は正反射領域で、平面２０２は、正反射領域及び乱反射領域の両方を含む領域であってもよい。
【００８７】
すなわち、傾斜面２０１上には、光を正反射する正反射シートを配置でき、平面２０２の一部上には、光を正反射する正反射シートを配置し、残り一部上には、光を乱反射する乱反射シートを配置できる。
【００８８】
ここで、平面２０２に配置される正反射シートは、傾斜面２０１に隣接する領域に配置してもよいが、乱反射シートの間に配置してもよい。
【００８９】
このように第１リフレクタ２００に正反射シートを配置すると、多量の光を第２リフレクタ３００へ反射させ、ホットスポットを防止でき、第１リフレクタ２００に乱反射シートを配置すると、輝度の弱い第２リフレクタ３００の一部領域にも光が伝達され、弱い輝度を補償できる。
【００９０】
図５Ａ及び図５Ｂは、第１リフレクタの傾斜面と平面との境界領域を示す断面図である。
【００９１】
図５Ａに示すように、第１リフレクタ２００は、下部面に傾斜面２０１と平面２０２とを有するが、傾斜面２０１と平面２０２との境界領域は、これらによって形成される二面角（ｄｉｈｅｄｒａｌ  ａｎｇｌｅ）を有することができる。
【００９２】
しかし、場合によって、図５Ｂに示すように、傾斜面２０１と平面２０２との境界領域は、所定の曲率を有する膨らんだ曲面を有してもよい。
【００９３】
このように傾斜面２０１と平面２０２との境界領域を膨らんだ曲面にする理由は、傾斜面２０１と平面２０２との境界領域に二面角が形成されると、入射光が一部領域にのみ集中してしまい、全体的に輝度がばらつくことがあるからである。
【００９４】
したがって、傾斜面２０１と平面２０２との境界領域を膨らんだ曲面に緩やかに形成することによって、全体的に均一な輝度を提供可能になる。
【００９５】
図６Ａ及び図６Ｂは、第１リフレクタの厚さを示す断面図である。
【００９６】
まず、図６Ａに示すように、第１リフレクタ２００は、光源モジュールに隣接する第１領域と、第１領域に隣接する第２領域とを有することができる。
【００９７】
ここで、第１リフレクタ２００の第１領域は、下部面が傾斜面２０１を有し、上部面が平面を有することができる。
【００９８】
そして、第１リフレクタ２００の第２領域は、下部面が平面２０２を有し、上部面も平面を有することができる。
【００９９】
ここで、第２領域の上部面の平面及び下部面の平面は、互いに平行であればよい。
【０１００】
この場合、第１領域のうち、光源モジュールに近接した領域の厚さｔ１は、光源モジュールから遠い領域の厚さｔ２より薄くすればよい。
【０１０１】
そして、第２領域のうち、光源モジュールに近接した領域の厚さｔ３は、光源モジュールから遠い領域の厚さｔ４より厚くすればよい。
【０１０２】
また、第１リフレクタ２００の上部面において、第１領域は平面で、第２領域は高さの異なる２つの平面を含む階段型であってもよい。
【０１０３】
また、図６Ｂに示すように、第１リフレクタ２００は、光源モジュールに隣接する第１領域と、第１領域に隣接する第２領域とを有することができる。
【０１０４】
ここで、第１リフレクタ２００の第１領域は、下部面が傾斜面２０１を有し、上部面が傾斜面を有することができる。
【０１０５】
すなわち、第１領域の下部面と上部面が両方とも傾斜面を有することができる。
【０１０６】
そして、第１リフレクタ２００の第２領域は、下部面が平面２０２を有し、上部面も平面を有することができる。
【０１０７】
ここで、第２領域の上部面は一部傾斜面を含んでもよく、上部面の平面と下部面の平面とは互いに平行であればよい。
【０１０８】
この場合、第１領域のうち、光源モジュールに近接した領域の厚さｔ１は、光源モジュールから遠い領域の厚さｔ２と同一である。
【０１０９】
そして、第２領域のうち、光源モジュールに近接した領域の厚さｔ３は、光源モジュールから遠い領域の厚さｔ４と同一ある。
【０１１０】
また、第１リフレクタ２００の上部面において、第１領域は傾斜面であり、第２領域は、傾斜面と平面が混合されるようにしてもよい。
【０１１１】
図７Ａ及び図７Ｂは、第１リフレクタの上部面の幅を示す断面図である。
【０１１２】
まず、図７Ａに示すように、第１リフレクタ２００の上部面は、光源モジュールに隣接する第３領域２０３と、第３領域２０３に隣接する第４領域２０４とを有することができる。
【０１１３】
ここで、第１リフレクタ２００の上部面における第３領域２０３は、第１リフレクタ２００の下部面の傾斜面に対応し、第１リフレクタ２００の上部面の第４領域２０４は、第１リフレクタ２００の下部面の平面に対応すればよい。
【０１１４】
ここで、第３領域２０３と第４領域２０４は平面で、互いに異なる線上に位置できる。
【０１１５】
すなわち、第３領域２０３の平面は、第４領域２０４の平面よりも高い位置にしてもよい。
【０１１６】
そして、第３領域２０３と第４領域２０４の幅は、互いに異なるとよい。
【０１１７】
すなわち、第３領域２０３の平面幅と第４領域２０４の平面幅は、互いに異なることがあるが、例えば、第３領域２０３の平面幅が第４領域２０４の平面幅より大きければよい。
【０１１８】
その理由は、第４領域２０４の幅を減らすことによって、ベゼルの幅を減らし、ディスプレイのアクティブ（ａｃｔｉｖｅ）領域を増大できるからである。
【０１１９】
場合によっては、第３領域２０３と第４領域２０４の幅が互いに同一であってもよい。
【０１２０】
また、図７Ｂに示すように、第１リフレクタ２００の上部面は、光源モジュールに隣接する第３領域２０３と、第３領域２０３に隣接する第４領域２０４と、を含むことができる。
【０１２１】
ここで、第１リフレクタ２００の上部面における第３領域２０３は、第１リフレクタ２００の下部面の傾斜面に対応し、第１リフレクタ２００の上部面における第４領域２０４は、第１リフレクタ２００の下部面の平面に対応すればよい。
【０１２２】
ここで、第３領域２０３は、下方に傾斜した傾斜面で、第４領域２０４は、下部面と平行な平面でよい。
【０１２３】
そして、第３領域２０３と第４領域２０４の幅は、互いに異なるとよい。
【０１２４】
すなわち、第３領域２０３の平面幅と第４領域２０４の平面幅は互いに異なることがあるが、例えば、第３領域２０３の平面幅が第４領域２０４の平面幅よりも大きければよい。
【０１２５】
その理由は、第４領域２０４の幅を減らすことによって、ベゼルＥの幅を減らし、ディスプレイのアクティブ領域を増大できるからである。
【０１２６】
場合によっては、第３領域２０３及び第４領域２０４の幅が互いに同一であってもよい。
【０１２７】
このように、第１リフレクタ２００の上部面は、第３領域２０３と第４領域２０４とが同一の形状の表面を有してもよく、場合によっては、互いに異なる形状の表面を有してもよい。
【０１２８】
すなわち、第３領域２０３と第４領域２０４の表面は、曲面または平面であればよく、その他にも様々な形状にしてもよい。
【０１２９】
図８Ａ及び図８Ｂは、第１リフレクタの上部面に突出した突起を示す断面図である。
【０１３０】
図８Ａ及び図８Ｂに示すように、第１リフレクタ２００の上部面には、所定の高さで突出する少なくとも１つの突起を有することができる。
【０１３１】
図８Ａの実施例において、第１リフレクタ２００の上部面は、光源モジュールに隣接する第３領域２０３と、第３領域２０３に隣接する第４領域２０４とを有し、第３領域２０３と第４領域２０４は、互いに異なる線上に位置する平面を有することができる。
【０１３２】
ここで、第３領域２０３の平面上には、第１及び第２突起２１１、２１２を配置でき、第４領域２０４の平面上には、第３突起２１３を配置できる。
【０１３３】
この場合、第１突起２１１の高さｈ１、第２突起２１２の高さｈ２、第３突起２１３の高さｈ３は、互いに同一であってもよく、場合によって第１突起２１１の高さｈ１、第２突起２１２の高さｈ２、第３突起２１３の高さｈ３の少なくとも１つは互いに異なってもよい。
【０１３４】
また、図８Ｂの実施例において、第１リフレクタ２００の上部面は、光源モジュールに隣接する第３領域２０３と、第３領域２０３に隣接する第４領域２０４とを有し、第３領域２０３は、下方に傾斜した傾斜面を有し、第４領域２０４は、下部面と平行な平面を有することができる。
【０１３５】
ここで、第３領域２０３の傾斜面上には、第１及び第２突起２１１，２１２が配置され、第４領域２０４の平面上には第３突起２１３が配置されるとよい。
【０１３６】
この場合、第１突起２１１の高さｈ１、第２突起２１２の高さｈ２、第３突起２１３の高さｈ３は互いに同一であってもよく、場合によって第１突起２１１の高さｈ１、第２突起２１２の高さｈ２、第３突起２１３の高さｈ３の少なくとも１つは互いに異なってもよい。
【０１３７】
このように配置される第１、第２及び第３突起２１１，２１２，２１３は、図示してはいないが、光学部材またはパネルガイドモールドなどを支持したり結合させたりする役割を果たすことができる。
【０１３８】
例えば、第１及び第２突起２１１，２１２は、ディスプレイパネルを固定したり支持するパネルガイドモールドと結合するための部材であり、第３突起２１３は光学部材を支持するための部材でよい。
【０１３９】
ここで、第３突起２１３の上部面は、膨らんだ曲面にし、光学部材との接触面積を最小化することによって、外部の衝撃から光学部材を保護することができる。
【０１４０】
場合によって、第３突起２１３の上部面には、多数の溝（ｈｏｌｌｏｗｎｅｓｓ）または微小突起がさらに形成されてもよい。
【０１４１】
また、図９Ａ乃至図９Ｄは、第１リフレクタに形成される反射パターンを示す断面図である。
【０１４２】
図９Ａ乃至図９Ｄに示すように、第１リフレクタ２００は、下部面に傾斜面２０１及び平面２０２を有し、平面２０２上に多数の反射パターン２１５が形成されてもよい。
【０１４３】
図９Ａは、反射パターン２１５が鋸歯状で、反射パターン２１５の表面は平面である実施例であり、図９Ｂ及び図９Ｃは、反射パターン２１５が鋸歯状で、反射パターン２１５の表面は曲面である実施例である。
【０１４４】
ここで、図９Ｂは、反射パターン２１５の表面が凹んだ曲面であり、図９Ｃは、反射パターン２１５の表面が膨らんだ曲面である。
【０１４５】
場合によって、図９Ｄに示すように、反射パターン２１５の大きさが、第１リフレクタ２００の一端から他端に向かって次第に大きくなるようにしてもよい。
【０１４６】
すなわち、反射パターン２１５の大きさを不均一にしてもよく、この場合、反射パターン２１５の大きさは、光源モジュールに近接する反射パターン２１５よりは、光源モジュールから遠く離れた反射パターン２１５の方をより大きくするとよい。
【０１４７】
このように第１リフレクタ２００の平面上に反射パターン２１５を形成すると、第２リフレクタ領域のうち、他の領域に比べて輝度が相対的に弱い領域へ光を反射させ、輝度を補償することによって、全体的に均一な輝度が得られるわけである。
【０１４８】
したがって、このような反射パターン２１５は、バックライトの全体輝度分布に応じて、該当の領域に様々な大きさで製作すればよい。
【０１４９】
図１０Ａ乃至図１０Ｃは、第１リフレクタの長さを示す断面図である。
【０１５０】
図１０Ａ乃至図１０Ｃに示すように、第２リフレクタ３００は、光源モジュール１００に隣接する第１領域と、第１領域に隣接する第２領域とを有することができる。
【０１５１】
そして、第２リフレクタ３００の第１領域は、光源モジュール１００及び第１リフレクタ２００と整列（ａｌｉｇｎ）され、下方に傾斜した第１傾斜面を有することができる。
【０１５２】
また、第２リフレクタ３００の第２領域は第１領域に隣接し、第１リフレクタ２００の下部面の平面と平行な平面であってもよく、上方に傾斜した第２傾斜面を有してもよい。
【０１５３】
また、第１リフレクタ２００の下部面は、光源モジュール１００に隣接する傾斜面２０１と、傾斜面２０１に隣接する平面２０２と、を含むことができ、第１リフレクタ２００の下部面の平面２０２は、第２リフレクタ３００の第１領域、第２領域の少なくとも一領域に整列されて配置されるとよい。
【０１５４】
図１０Ａは、第１リフレクタ２００の下部面の平面２０２が、第２リフレクタ３００の第１領域に整列されて配置される実施例であり、図１０Ｂは、第１リフレクタ２００の下部面の平面２０２が、第２リフレクタ３００の第１領域と第２領域にわたって整列されて配置される実施例であり、図１０Ｃは、第１リフレクタ２００の下部面の平面２０２が、第２リフレクタ３００の第２領域に整列されて配置される実施例である。
【０１５５】
このように、第１リフレクタ２００の長さは、種々の実施例に応じて可変すればよい。
【０１５６】
図１１Ａ乃至図１１Ｄは、光源モジュールと第１及び第２リフレクタとの配置関係を説明するための断面図である。
【０１５７】
図１１Ａは、第１リフレクタ２００と第２リフレクタ３００の両方から一定間隔離れて配置される光源モジュール１００を示す図であり、図１１Ｂは、第１リフレクタ２００と第２リフレクタ３００の両方に接触する光源モジュール１００を示す図であり、図１１Ｃは、第１リフレクタ２００に接触すると同時に、第２リフレクタ３００から一定間隔離れて配置される光源モジュール１００を示す図であり、図１１Ｄは、第１リフレクタ２００から一定間隔離れて配置されると同時に、第２リフレクタ３００に接触する光源モジュール１００を示す図である。
【０１５８】
図１１Ａに示すように、光源モジュール１００は、第１リフレクタ２００から第１距離ｄ１だけ離隔し、第２リフレクタ３００から第２距離ｄ２だけ離隔することがある。
【０１５９】
ここで、第１距離ｄ１及び第２距離ｄ２は、互いに同一であってもよく、異なってもよい。
【０１６０】
例えば、第１距離ｄ１は、第２距離ｄ２よりも小さければよい。
【０１６１】
これは、第１距離ｄ１が第２距離ｄ２よりも大きいと、ホットスポット現象が現れることがあるからである。
【０１６２】
また、図１１Ｂに示すように、光源モジュール１００は、第１リフレクタ２００及び第２リフレクタ３００の両方に接触してもよい。
【０１６３】
ここで、光源モジュール１００は、第１及び第２リフレクタ２００，３００に接触することによって、ホットスポットを防止し、光源モジュール１００から遠い領域にまで光を伝達することができ、かつ全体的なバックライトユニットの厚さを減らすことができる。
【０１６４】
そして、図１１Ｃに示すように、光源モジュール１００は、第１リフレクタ２００に接触し、第２リフレクタ３００から距離ｄだけ離隔してもよい。
【０１６５】
ここで、光源モジュール１００は、第１リフレクタ２００に接触することによって、ホットスポットを防止し、光源モジュール１００から遠い領域にまで光を伝達することができる。
【０１６６】
また、図１１Ｄに示すように、光源モジュール１００は、第２リフレクタ３００に接触し、第１リフレクタ２００から距離ｄだけ離隔してもよい。
【０１６７】
図１２Ａ乃至図１２Ｃは、傾斜面と平面を含む第２リフレクタを示す断面図である。
【０１６８】
図１２Ａは、第２リフレクタ３００の傾斜面が扁平な表面を有し、図１２Ｂは、第２リフレクタ３００の傾斜面が凹んだ曲面を有し、図１２Ｃは、第２リフレクタ３００の傾斜面が膨らんだ曲面を有する実施例である。
【０１６９】
ここで、第２リフレクタ３００の第１領域は傾斜面で、第２領域は扁平な面であればよい。
【０１７０】
図１３Ａ乃至図１３Ｃは、複数の傾斜面を含む第２リフレクタを示す断面図である。
【０１７１】
図１３Ａは、互いに隣接する両傾斜面が扁平な表面を有し、図１３Ｂは、互いに隣接する両傾斜面が凹んだ曲面を有するとともに、両傾斜面の曲率は互いに異なり、図１３Ｃは、互いに隣接する両傾斜面が膨らんだ曲面を有するとともに、両傾斜面の曲率は互いに異なる実施例である。
【０１７２】
図１３Ａ乃至図１３Ｃに示すように、第２リフレクタ３００は、光源モジュール１００に隣接した第１領域と、光源モジュール１００から離れた第２領域とを有することができる。
【０１７３】
ここで、第２リフレクタ３００の第１領域と第２領域は傾斜面でよい。
【０１７４】
一方、第２リフレクタ３００の第１領域は、光を正反射する正反射シートが形成され、第２リフレクタ３００の第２領域は、光を正反射する正反射シートと光を乱反射する乱反射シートの少なくとも一方が形成されてもよい。
【０１７５】
ここで、第２リフレクタ３００の第１領域に正反射シートを形成する理由は、輝度の弱い第２リフレクタ３００の中央領域へ光を多く反射させることによって、均一な輝度を得るためである。
【０１７６】
また、第２リフレクタ３００の第２領域に乱反射シートを形成する理由は、輝度の弱い第２リフレクタ３００の第２領域へ光を乱反射させることによって、輝度を補償するためである。
【０１７７】
そして、第２リフレクタ３００は、アルミニウム（Ａｌ）、銀（Ａｇ）、金（Ａｕ）、二酸化チタン（ＴｉＯ２）などのように高い反射率を有する金属または金属酸化物を含んで構成すればよく、第２リフレクタ３００は、第１及び第２領域に形成される物質が互いに異なってもよく、第１及び第２領域の表面粗さが互いに異なってもよい。
【０１７８】
すなわち、第２リフレクタ３００は、第１及び第２領域が同一の物質で形成されると同時に、表面粗さが互いに異なることがある。
【０１７９】
または、第２リフレクタ３００は、第１及び第２領域が互いに異なる物質で形成されると同時に、表面粗さが互いに異なることもある。
【０１８０】
一方、第２リフレクタ３００は、フィルム形態にした反射コーティングフィルムであってもよく、反射物質が蒸着された反射コーティング物質層であってもよい。
【０１８１】
第２リフレクタ３００は、金属または金属酸化物の少なくとも１つを含むことができ、例えば、アルミニウム（Ａｌ）、銀（Ａｇ）、金（Ａｕ）または二酸化チタン（ＴｉＯ２）のように高い反射率を有する金属または金属酸化物を含んで構成できる。
【０１８２】
この場合、第２リフレクタ３００は、金属または金属酸化物をボトムプレート（ｂｏｔｔｏｍ  ｐｌａｔｅ）である高分子樹脂フレーム上に蒸着またはコーティングしてもよく、金属インキを印刷して形成してもよい。
【０１８３】
ここで、蒸着する方法には、熱蒸着法、蒸発法またはスパッタ法のような真空蒸着法を用いることができ、コーティングまたは印刷する方法には、プリンティング法、グラビアコーティング法またはシルクスクリーン法を用いることができる。
【０１８４】
また、第２リフレクタ３００は、フィルムまたはシート（ｓｈｅｅｔ）形態にして、高分子樹脂フレーム上に接着して形成してもよい。
【０１８５】
ここで、第２リフレクタ３００は、ボトムプレートである高分子樹脂フレームの全体に同一の反射率を有する単一層が形成される構造であってもよく、高分子樹脂フレームの全体に互いに異なる反射率を有する複数層が形成される構造であってもよい。
【０１８６】
このように互いに異なる反射率を有する複数層で第２リフレクタ３００を形成する理由は、同一の反射率を有する反射層のみ形成すると、全体反射面の光反射率が均一でなく、バックライトの全体輝度にバラツキが生じることがあるからである。
【０１８７】
そこで、光の輝度が低くなる反射面領域には、相対的に反射率の高い反射層を形成したり、または、光の輝度が高くなる反射面領域には、相対的に反射率の低い反射層を形成することによって、バックライトの全体輝度を均一に補正することができる。
【０１８８】
図１４は、光学部材の配置されたバックライトユニットを示す図である。
【０１８９】
図１４に示すように、光学部材６００は、第２リフレクタ３００から一定の空間を置いて配置できる。
【０１９０】
そして、第２リフレクタ３００と光学部材６００との間の空間にはエアーガイドを形成できる。
【０１９１】
ここで、光学部材６００は、上部表面に凹凸パターン６２０を有することができる。
【０１９２】
光学部材６００は、光源モジュール１００から出射する光を拡散させる役割を果たすもので、拡散効果を増加させるために、上部表面に凹凸パターン６２０が形成されてもよい。
【０１９３】
すなわち、光学部材６００は複数の層で形成でき、凹凸パターン６２０は最上層またはいずれか一層の表面に形成できる。
【０１９４】
そして、凹凸パターン６２０は、光源モジュール１００に沿って配置される縞（ｓｔｒｉｐｅ）形状を有することができる。
【０１９５】
この場合、凹凸パターン６２０は、光学部材６００の表面に突出部を有し、突出部は、相対する第１面と第２面とで構成され、第１面と第２面との角は、鈍角または鋭角でよい。
【０１９６】
場合によって、光学部材６００は、少なくとも１つのシートからなり、拡散シート、プリズムシート、輝度強化シートなどを選択的に含めばよい。
【０１９７】
ここで、拡散シートは光源から出射する光を拡散させ、プリズムシートは拡散された光を発光領域へ導き、輝度拡散シートは輝度を強化させる。
【０１９８】
また、第２リフレクタ３００は、金属または金属酸化物の少なくとも１つを含むことができ、例えば、アルミニウム（Ａｌ）、銀（Ａｇ）、金（Ａｕ）または二酸化チタン（ＴｉＯ２）のように高い反射率を有する金属または金属酸化物を含んで構成すればよい。
【０１９９】
また、第２リフレクタ３００は、反射コーティングフィルム及び反射コーティング物質層のいずれか一つで形成でき、光源モジュール１００から生成された光を、光学部材６００の方向へ反射させる役割を果たすことができる。
【０２００】
第２リフレクタ３００は、光学部材６００と相対する表面上に鋸歯状の反射パターンが形成されてもよく、反射パターンの表面は平面または曲面でよい。
【０２０１】
第２リフレクタ３００の表面に反射パターンを形成する理由は、光源モジュール１００から生成された光を均一に拡散及び反射させるためである。
このように、実施例は、平面及び曲面の少なくとも一傾斜面を有するエアーガイド用リフレクタを形成することによって、軽量、低製作コスト及び均一な輝度を提供できる。
【０２０２】
その結果、バックライトユニットの経済性及び信頼性を向上させることができる。
【０２０３】
図１５は、本発明の一実施例に係るバックライトユニットを有するディスプレイモジュールを示す図である。
【０２０４】
図１５に示すように、ディスプレイモジュール２０は、ディスプレイパネル８００及びバックライトユニット７００を備えることができる。
【０２０５】
ディスプレイパネル８００は、均一なセルギャップを維持するようにして互いに相対して貼り合わされたカラーフィルタ基板８１０及びＴＦＴ（Ｔｈｉｎ  Ｆｉｌｍ  Ｔｒａｎｓｉｓｔｏｒ）基板８２０を含み、両基板８１０，８２０の間に液晶層（図示せず）が介在される。
【０２０６】
そして、ディスプレイパネル８００の上側及び下側にはそれぞれ、上部偏光板８３０及び下部偏光板８４０を配置でき、より詳細には、カラーフィルタ基板８１０の上面に上部偏光板８３０を配置し、ＴＦＴ基板８２０の下面に下部偏光板８４０を配置できる。
【０２０７】
図示してはいないが、ディスプレイパネル８００の側面には、ディスプレイパネル８００を駆動させるための駆動信号を生成するゲート及びデータ駆動部を設けることができる。
【０２０８】
図１６及び図１７は、実施例に係るディスプレイ装置を示す図である。
【０２０９】
図１６に示すように、ディスプレイ装置１は、ディスプレイモジュール２０、ディスプレイモジュール２０を覆うフロントカバー３０及びバックカバー３５、及びバックカバー３５に設けられた駆動部５５、及び駆動部５５を覆う駆動部カバー４０で構成することができる。
【０２１０】
フロントカバー３０は、光を透過させる透明な材質の前面パネル（図示せず）を含むことができ、前面パネルは、一定の間隔を置いてディスプレイモジュール２０を保護するとともに、ディスプレイモジュール２０から放出される光を透過させて、ディスプレイモジュール２０で表示される映像を外部から見られるようにする。
【０２１１】
バックカバー３５は、フロントカバー３０と結合してディスプレイモジュール２０を保護することができる。
【０２１２】
バックカバー３５の一面には、駆動部５５を配置できる。
【０２１３】
駆動部５５は、駆動制御部５５ａ、メインボード５５ｂ及び電源供給部５５ｃを含むことができる。
【０２１４】
駆動制御部５５ａは、タイミングコントローラであればよく、ディスプレイモジュール２０の各ドライバＩＣの動作タイミングを調節する駆動部であり、メインボード５５ｂは、タイミングコントローラにＶシンク、Ｈシンク及びＲ、Ｇ、Ｂ解像度信号を伝達する駆動部であり、電源供給部５５ｃは、ディスプレイモジュール２０に電源を印加する駆動部であればよい。
【０２１５】
駆動部５５は、バックカバー３５に設けられ、駆動部カバー４０により覆われるとよい。
【０２１６】
バックカバー３５は、複数の孔が形成されてディスプレイモジュール２０と駆動部５５とを連結することができ、ディスプレイ装置１を支持するスタンド６０を備えることができる。
【０２１７】
一方、図１７に示すように、駆動部５５の駆動制御部５５ａは、バックカバー３５に設けられ、メインボード５５ｂ及び電源ボード５５０ｃはスタンド６０に設けられてもよい。
【０２１８】
この場合、駆動部カバー４０は、バックカバー３５に設けられた駆動部５５のみを覆えばよい。
【０２１９】
実施例では、メインボード５５ｂ及び電源ボード５５０ｃを別々に構成したが、一体の統合ボードにしてもよく、これに限定されない。
【０２２０】
さらに他の実施例は、上記の各実施例に記載された第１、第２リフレクタ及び光源モジュールを含む表示装置、指示装置、照明システムとすることができ、例えば、照明システムはランプ、街灯を含むことができる。
【０２２１】
このような照明システムは、多数のＬＥＤを集束して光を得る照明灯に用いることができ、特に、建物の天井や壁体内に埋め込まれ、シェードの開口部側が露出されるように装着できる埋め込み灯（ダウンライト）に用いることができる。
【０２２２】
以上では実施例を中心に説明してきたが、それらは単なる例示で、本発明を限定するためのものではない。したがって、本発明の属する分野における通常の知識を有する者には、本実施例の本質的な特性を逸脱しない範囲で、以上に例示していない種々の変形及び応用が可能であるということが理解されるであろう。例えば、実施例に具体的に示した各構成要素を変形して実施することができる。なお、それらの変形及び応用も、添付の請求の範囲で規定する本発明の範囲に含まれるものとして解釈すべきである。
【図１】
0005944176.tif 000002
【図２Ａ】
0005944176.tif 000003
【図２Ｂ】
0005944176.tif 000004
【図２Ｃ】
0005944176.tif 000005
【図３】
0005944176.tif 000006
【図４Ａ】
0005944176.tif 000007
【図４Ｂ】
0005944176.tif 000008
【図４Ｃ】
0005944176.tif 000009
【図５Ａ】
0005944176.tif 000010
【図５Ｂ】
0005944176.tif 000011
【図６Ａ】
0005944176.tif 000012
【図６Ｂ】
0005944176.tif 000013
【図７Ａ】
0005944176.tif 000014
【図７Ｂ】
0005944176.tif 000015
【図８Ａ】
0005944176.tif 000016
【図８Ｂ】
0005944176.tif 000017
【図９Ａ】
0005944176.tif 000018
【図９Ｂ】
0005944176.tif 000019
【図９Ｃ】
0005944176.tif 000020
【図９Ｄ】
0005944176.tif 000021
【図１０Ａ】
0005944176.tif 000022
【図１０Ｂ】
0005944176.tif 000023
【図１０Ｃ】
0005944176.tif 000024
【図１１Ａ】
0005944176.tif 000025
【図１１Ｂ】
0005944176.tif 000026
【図１１Ｃ】
0005944176.tif 000027
【図１１Ｄ】
0005944176.tif 000028
【図１２Ａ】
0005944176.tif 000029
【図１２Ｂ】
0005944176.tif 000030
【図１２Ｃ】
0005944176.tif 000031
【図１３Ａ】
0005944176.tif 000032
【図１３Ｂ】
0005944176.tif 000033
【図１３Ｃ】
0005944176.tif 000034
【図１４】
0005944176.tif 000035
【図１５】
0005944176.tif 000036
【図１６】
0005944176.tif 000037
【図１７】
0005944176.tif 000038